(57)【要約】【課題】  デジタル出力の電子白板または手書き入力パネルに適しているディスプレイパネルを提供する。【解決手段】  ディスプレイパネルは、基板と駆動回路と複数の画素を備えている。各画素は、少なくとも１つの光センサ素子と複数の発光素子を備えている。光センサ素子は光信号を受信するとともに、受信した光信号に対応する発光素子を駆動回路を利用してオンオフする。ディスプレイパネルはメモリモジュールさらに備え、メモリモジュールは画素の表示するデジタル画像を記憶保存する働きをする。複数の色の発光素子とメモリモジュールを備える構成により、ディスプレイパネルはカラー表示機能やデジタル出力機能を備えた電子白板やＰＤＡやその他の電子製品の手書き入力パネルとして使用できる。【選択図】図１Ａ
2005122159.tif 000002
【特許請求の範囲】
【請求項１】
ディスプレイパネルであって、
表示領域と非表示領域を備える基板と、
駆動回路と、
基板の表示領域上にアレイ状に配列されており、駆動回路と電気的に接続している複数の画素を備え、
各画素は、１つの光センサ素子と複数の発光素子を備えており、
光センサ素子は、光信号を受信するとともに、受信した光信号に対応する発光素子を、駆動回路を用いてオン／オフすることを特徴とするディスプレイパネル。
【請求項２】
前記発光素子が、有機ＥＬ素子を備えることを特徴とする請求項１のディスプレイパネル。
【請求項３】
前記各画素の前記発光素子が、１つの赤色有機ＥＬ素子と、１つの緑色有機ＥＬ素子と、１つの青色有機ＥＬ素子を備えることを特徴とする請求項２のディスプレイパネル。
【請求項４】
前記各画素が複数の二次画素を備えており、その二次画素は前記光センサ素子を共用しており、
前記発光素子は、複数の赤色有機ＥＬ素子と、複数の緑色有機ＥＬ素子と、複数の青色有機ＥＬ素子を備えることを特徴とする請求項２のディスプレイパネル。
【請求項５】
ディスプレイパネルであって、
表示領域と非表示領域を備える基板と、
駆動回路と、
基板の表示領域上にアレイ状に配列されており、駆動回路と電気的に接続している複数の画素を備え、
各画素は、複数の光センサ素子と複数の発光素子を備えており、
少なくとも一つの光センサ素子は、光信号を受信するとともに、受信した光信号に対応する発光素子を、駆動回路を用いてオン／オフすることを特徴とするディスプレイパネル。
【請求項６】
前記発光素子が、有機ＥＬ素子を備えることを特徴とする請求項５のディスプレイパネル。
【請求項７】
前記各画素が、１つの赤色有機ＥＬ素子と、１つの緑色有機ＥＬ素子と、１つの青色有機ＥＬ素子を備えることを特徴とする請求項６のディスプレイパネル。
【請求項８】
前記光センサ素子の受信する光信号が、所定の波長範囲の光信号であることを特徴とする請求項５のディスプレイパネル。
【請求項９】
前記光センサ素子の受信する光信号のスペクトルが、前記発光素子の発光スペクトルと異なることを特徴とする請求項１または５のディスプレイパネル。
【請求項１０】
前記光センサ素子が、有機フォトダイオードを備えていることを特徴とする請求項１または５のディスプレイパネル。
【請求項１１】
前記駆動回路が、少なくとも１つの駆動チップを備えていることを特徴とする請求項１または５のディスプレイパネル。
【請求項１２】
前記画素と電気的に接続しているメモリモジュールをさらに備えており、メモリモジュールは前記画素の表示するデジタル画像を記憶保存することを特徴とする請求項１または５のディスプレイパネル。
【請求項１３】
前記メモリモジュールが、前記基板の前記非表示領域上に配置されていることを特徴とする請求項１２のディスプレイパネル。
【請求項１４】
前記駆動回路が、前記基板の前記非表示領域上に配置されていることを特徴とする請求項１または５のディスプレイパネル。
【請求項１５】
前記基板の前記非表示領域上に配置されている複数のコントロールキーをさらに備えており、
各コントロールキーは、前記画素の表示する色の切換えと、前記画素のリセットと、前記画素の階調値の調整の少なくとも１つを行うのに用いられることを特徴とする請求項１または５のディスプレイパネル。
【請求項１６】
ディスプレイパネルであって、
表示領域と非表示領域と入力領域を備える基板と、
駆動回路と、
基板の表示領域上にアレイ状に配列されており、駆動回路と電気的に接続しており、各々が複数の第１発光素子を備える複数の第１画素と、
基板の入力領域上にアレイ状に配列されており、駆動回路と電気的に接続しており、各々が１つの光センサ素子と複数の第２発光素子を備える複数の第２画素を備え、
光センサ素子は、光信号を受信するとともに、受信した光信号に対応する第１発光素子ならびに第２発光素子を、駆動回路を用いてオン／オフ制御し、表示領域内と入力領域内に互いに相似形であるデジタル画像を同期的に表示することを特徴とするディスプレイパネル。
【請求項１７】
前記第１発光素子が、有機ＥＬ素子を備えることを特徴とする請求項１６のディスプレイパネル。
【請求項１８】
前記各第１画素の前記第１発光素子が、１つの赤色有機ＥＬ素子と、１つの緑色有機ＥＬ素子と、１つの青色有機ＥＬ素子を備えていることを特徴とする請求項１７のディスプレイパネル。
【請求項１９】
前記第２発光素子が、有機ＥＬ素子を備えていることを特徴とする請求項１６のディスプレイパネル。
【請求項２０】
前記各第２画素の前記第２発光素子が、１つの赤色有機ＥＬ素子と、１つの緑色有機ＥＬ素子と、１つの青色有機ＥＬ素子を備えていることを特徴とする請求項１９のディスプレイパネル。
【請求項２１】
前記光センサ素子の受信する光信号のスペクトルが、前記第２発光素子の発光スペクトルと異なることを特徴とする請求項１６のディスプレイパネル。
【請求項２２】
前記光センサ素子が、有機フォトダイオードを備えていることを特徴とする請求項１６のディスプレイパネル。
【請求項２３】
前記駆動回路が、少なくとも１つの駆動チップを備えていることを特徴とする請求項１６のディスプレイパネル。
【請求項２４】
前記第１画素と電気的に接続しているメモリモジュールをさらに備えており、メモリモジュールは前記第１画素の表示するデジタル画像を記憶保存することを特徴とする請求項１６のディスプレイパネル。
【請求項２５】
前記メモリモジュールが、前記基板の前記非表示領域上に配置されていることを特徴とする請求項２４のディスプレイパネル。
【請求項２６】
前記駆動回路が、前記基板の前記非表示領域上に配置されていることを特徴とする請求項１６のディスプレイパネル。
【請求項２７】
前記基板の前記非表示領域上に配置されている複数のコントロールキーをさらに備えており、
各コントロールキーは前記第１画素ならびに前記第２画素の表示する色の切換えと、前記第１画素ならびに前記第２画素のリセットと、前記第１画素ならびに前記第２画素の階調値の調整の少なくとも一つを行うのに用いられることを特徴とする請求項１６のディスプレイパネル。
【発明の詳細な説明】
【技術分野】
【０００１】
本発明はディスプレイパネルに関する。特に、カラー表示や手書き入力やデジタル出力が可能な電子白板として使用できるディスプレイパネルに関する。
【背景技術】
【０００２】
会議室や教室では、黒板または白板が常備されており、話し手はチョークまたは油（水）性マジックペンを使って黒板または白板上に文字や図を書きながら、報告や講義など行う。黒板や白板は書き込める範囲に限りがあるため、書き込める範囲が文字や図で埋まった時点で、話し手は書いたデータを黒板消しで拭き消してから新しいデータを書くことになる。黒板または白板は書かれたデータを記憶保存できないという欠点があることから、近年では、毎回書かれたデータを記録紙に印刷し、話し手または聞き手がデータを紙の形で保存することを可能とする電子白板が開発されている。
【発明の開示】
【発明が解決しようとする課題】
【０００３】
しかしながらこの電子白板では、データを紙の形で保存する必要があることから、データの保存期間は短く、また破損されやすい。またデータが多くなると記録紙へ印刷する枚数も比例して増加してしまい、現在のペーパーレス化の趨勢に対応することができない。
一方、近年のフラットディスプレイ技術の進歩にともない、さまざまなタイプのフラットディスプレイが次々に開発されている。そのなかで有機ＥＬディスプレイ（ＯＥＬＤ）は、自発光型であること、視角依存性がないこと、低電力消費であること、製造プロセスが簡単であること、低コストであること、操作温度範囲が低いこと、応答速度が速いこと、フルカラー表示可能なこと等の利点により、極めて大きな応用可能性を備えており、次世代のフラットディスプレイの主流となることが期待されている。さらにデジタル出力の電子白板への応用も可能である。
本発明は、デジタル出力の電子白板または手書き入力パネルに適しているディスプレイパネルを提供することを目的とする。
また本発明は、この電子白板または手書き入力パネルをカラー化するのにより適しているディスプレイパネルを提供することを目的とする。
【課題を解決するための手段】
【０００４】
本発明が提供するディスプレイパネルは、基板と、駆動回路と、複数の画素を備える。基板は表示領域及び非表示領域を備えている。画素は基板の表示領域上にアレイ状に配列されており、各画素は１つの光センサ素子と複数の発光素子を備えている。駆動回路は基板上に配置されており、画素と電気的に接続している。光センサ素子は、光信号を受信するとともに、受信した光信号に対応する発光素子を、駆動回路を用いてオン／オフする。
【０００５】
各画素は、例えば複数の二次画素を備えるとともに、同一画素内の二次画素が１つの光センサ素子を共用するように構成することが好ましい。
光センサ素子の受信する光信号のスペクトルは、例えば発光素子の発光スペクトルとは異なることが好ましい。
ディスプレイパネルは、例えば１つのメモリモジュールや複数のコントロールキーをさらに備えることが好ましい。メモリモジュールは、画素と電気的に接続しており、画素が表示するデジタル画像を記憶保存することができる。各コントロールキーは、例えば基板の非表示領域上に配置することができ、画素の表示する色の切換え、画素のリセット及び画素の階調値の調整を行うのに用いるようにすることができる。
【０００６】
前述の目的に基づいて、本発明は、基板と駆動回路と複数の画素を備える他のディスプレイパネルをさらに提供する。基板は、表示領域と非表示領域を備えている。画素は基板の表示領域上にアレイ状に配列されており、各画素は複数の光センサ素子と複数の発光素子を備えている。駆動回路は基板上に配置されており、画素と電気的に接続している。少なくとも１つの光センサ素子は、光信号を受信するとともに、受信した光信号に対応する発光素子を、駆動回路を用いてオン／オフする。
【０００７】
光センサ素子の受信する光信号は、例えば所定の波長範囲の光信号であって、そのスペクトルは例えば発光素子の発光スペクトルとは異なることが好ましい。
ディスプレイパネルは、例えば１つのメモリモジュールと複数のコントロールキーをさらに備えることが好ましい。メモリモジュールは、画素と電気的に接続しており、画素の表示するデジタル画像を記憶保存することができる。コントロールキーは、例えば基板の非表示領域上に配置することができ、画素の表示する色の切換えや、画素のリセットや、画素の階調値の調整を行うのに用いるようにすることができる。
【０００８】
前述の目的に基づいて、本発明は、基板と駆動回路と複数の第１画素と複数の第２画素を備えるまた別のディスプレイパネルを提供する。基板は、表示領域と非表示領域と入力領域を備えている。駆動回路は基板上に配置されており、第１画素ならびに第２画素と電気的に接続している。第１画素は基板の表示領域上にアレイ状に配列されており、各第１画素は複数の第１発光素子を備えている。第２画素は基板の入力領域上にアレイ状に配列されており、各第２画素は１つの光センサ素子と複数の第２発光素子を備えている。光センサ素子は、光信号を受信するとともに、受信した光信号に対応する第１発光素子ならびに第２発光素子を、駆動回路を用いてオン／オフする。
【０００９】
光センサ素子の受信する光信号のスペクトルは、例えば第２発光素子の発光スペクトルとは異なることが好ましい。
ディスプレイパネルは、例えば１つのメモリモジュールと複数のコントロールキーをさらに備えることが好ましい。メモリモジュールは、例えばすべての第１画素と電気的に接続しており、第１画素の表示するデジタル画像を記憶保存する。コントロールキーは、例えば基板の非表示領域上に配置することができ、第１画素ならびに第２画素の表示する色の切換え、第１画素ならびに第２画素のリセットと、第１画素ならびに第２画素の階調値の調整を行うのに用いるようにすることができる。
【００１０】
注目すべきは、本発明の提供するディスプレイパネルは、各画素が複数の発光素子を備えることにより、モノクロ表示に限定されることなく、カラー化された画像が表示可能なことである。またメモリモジュールにより、ディスプレイパネル上の画像をいつでもデジタル情報として出力できるので、ディスプレイパネルの使用者にとって情報の保存や印刷やその他の処理の上で便利なことである。
【発明を実施するための最良の形態】
【００１１】
本発明の目的、特徴、利点をさらに明らかにして理解しやすくするため、以下に好適な実施形態を述べるとともに、添付の図面を参照しながら詳細に説明する。
【００１２】
（第１実施形態）
図１Ａは、本発明を好適に実施する第１の実施形態によるディスプレイパネルの概略図を示している。図１Ｂは、第１実施形態の変形例によるディスプレイパネルの概略図を示している。
図１Ａに示すディスプレイパネル１００は、基板１１０と、駆動回路１２０と、複数の画素１３０を備えている。基板１１０は、表示領域１１２と非表示領域１１４を備えている。駆動回路１２０は、例えば基板１１０の非表示領域１１４上に配置されており、すべての画素１３０と電気的に接続している。駆動回路１２０は、例えば少なくとも１つの駆動チップやその他の電子部品から構成されている。
画素１３０は、基板１１０の表示領域１１２上にアレイ状に配列されている。各画素１３０は、１つの光センサ素子１３２と複数の発光素子１３４を備えている。光センサ素子１３２は、光信号を受信するとともに、受信した光信号に対応する発光素子１３４を駆動回路１２０を用いてオン／オフする。光センサ素子１３２には、例えば有機フォトダイオードや有機光センサ素子を用いることができる。光センサ素子１３２は有機ＥＬ材料の光電相互変換機能を利用して製造することができることから、光センサ素子１３２と発光素子１３４は、異なるメタルマスクを使用することによって、近似した製造プロセスにより同一の基板上に形成することができる。
【００１３】
図１Ｂに示す変形例のディスプレイパネル１００ａの画素１３０ａは、例えばアレイ状に配列した複数の二次画素１３０ｂを備えている。二次画素１３０ｂの数は１０個×１０個以下であることが望ましい。１つの画素１３０ａ内のすべての二次画素１３０ｂは１つの光センサ素子１３２を共用しており、各二次画素１３０ｂは例えば複数の発光素子１３４を備えている。
【００１４】
図１Ａ、図１Ｂに示すように、ディスプレイパネル１００、１００ａは、例えば１つのメモリモジュール１４０と複数のコントロールキー１４５をさらに備えている。
メモリモジュール１４０は、例えば基板１１０の非表示領域１１４上に配置されている。また、すべての画素１３０、１３０ａと電気的に接続していることによって、画素１３０、１３０ａの表示するデジタル画像を記憶保存することができる。コントロールキー１４５は、例えば基板１１０の非表示領域１１４上に配置されており、画素１３０、１３０ａの表示する色の切換えや、画素１３０のリセットや、画素１３０の階調値の調整を行うのに用いられる。
駆動回路１２０やメモリモジュール１４０を配置する位置は必ずしも非表示領域上に限られる必要はない。操作のしやすさや、ディスプレイパネルの小型化や、あるいはその他の考慮に基づいて、それぞれ他の適当な位置に配置することも可能である。
【００１５】
図２Ａは、図１Ａに示す第１実施形態によるディスプレイパネル１００の画素の概略図である。図２Ｂは、図１Ｂに示す第１実施形態の変形例によるディスプレイパネル１００ａの画素の概略図である。図３は、第１実施形態に用いる光トリガー回路図である。
【００１６】
図２Ａに示すように、画素１３０は、例えば光センサ素子１３２と、赤色有機ＥＬ素子１３４ｒと、緑色有機ＥＬ素子１３４ｇと、青色有機ＥＬ素子１３４ｂを備えている。
【００１７】
図２Ｂに示すように、画素１３０ａは、例えば複数の二次画素１３０ｂを備えている。画素１３０ａは、１つの光センサ素子１３２を備えており、光センサ素子１３２は画素１３０ａ内のすべての二次画素１３０ｂに共用される。二次画素１３０ｂは、例えば赤色有機ＥＬ素子１３４ｒと、緑色有機ＥＬ素子１３４ｇと、青色有機ＥＬ素子１３４ｂを備えている。以上のような構成により、光センサ素子の使用数を減らすことができることから、コストの低減を図ることができる。ディスプレイパネルを純粋に表示の用途に使用する場合は、それぞれの二次画素が異なる色を呈することができることから、ディスプレイパネルの解像度が犠牲になることはない。
【００１８】
図２Ａ、図２Ｂ、図３を合わせて参照されたい。光ペン１５０は発光機構１５５を備える。光センサ素子１３２は光信号を受信したときに、例えばこの光信号の波長を判断することによって、赤色有機ＥＬ素子１３４ｒと、緑色有機ＥＬ素子１３４ｇと、青色有機ＥＬ素子１３４ｂのオン／オフ状態を決定することができる。もちろん、光センサ素子１３２が光信号を受信したときに、この光信号の波形を判断することによって、赤色有機ＥＬ素子１３４ｒと、緑色有機ＥＬ素子１３４ｇと、青色有機ＥＬ素子１３４ｂの発光状態を決定することもできる。したがって、光ペン１５０の設計においては、異なる発光機構１５５を備えた複数の種類の光ペン１５０を設計することにより、赤色有機ＥＬ素子１３４ｒと、緑色有機ＥＬ素子１３４ｇと、青色有機ＥＬ素子１３４ｂをそれぞれ個別に発光させることができるようになる。それにより、画素１３０にさまざまな色彩を表示させることができるようになる。異なる発光機構１５５を１本の光ペン１５０に配置し、機械的な設計によって、光ペン１５０の使用者が使用したい発光機構１５５を自由に選択できるようにすることも可能である。
【００１９】
注目すべきは、簡単な構成の光ペン１５０を用いて光センサ素子１３２をトリガーすることができるとともに、図１の示すコントロールキー１４５によって、光センサ素子１３２がトリガーされたときの条件に対応して画素１３０の表示色やオン／オフ状態の切換えを行うことができることである。それにより、光ペン１５０の設計を簡素化できるとともに、コストを低減することができる。
【００２０】
光センサ素子は、例えばある特定の波長範囲（スペクトル）の光信号の受信に適しているものとすることもできる。図４は、発光素子の発光スペクトルＡと光センサ素子の受信する光信号のスペクトルＢとを併せて示すスペクトル図である。図４に示すように、光センサ素子の受信する光信号のスペクトルと、発光素子の発光スペクトルとは帯域をずらすことにより、光センサ素子が発光素子から干渉を受けないようにすることができる。
【００２１】
図５は、第１の実施形態における判別回路のブロック図である。図５に示すように、光センサ素子１３２が光信号１０を受信すると、受信された光信号１０は第１電気信号２０に変換され、波形増幅器３０を経由することで、第１電気信号２０は第２電気信号２２に増幅される。第２電気信号２２が検波回路４０と波形整形回路５０を経由することで、第２電気信号２２は順に第３電気信号２４、第４電気信号２６に変換される。第４電気信号２６の波形は、信号判別回路６０が、第４電気信号２６の波形を、記憶している情報と比較して発光素子の発光状態を制御するのに適した波形となっている。上述した回路設計は、すべて１つの駆動チップ内に統合することができる。
【００２２】
（第２実施形態）
図６は、本発明を好適に実施する第２の実施形態によるディスプレイパネルの概略図である。図６に示すように、第２の実施形態のディスプレイパネル２００は、第１実施形態で説明したディスプレイパネルに比して、画素２３０の構成に光センサ素子２３２の数が追加されているものである。以下の説明では、第１実施形態と同様の部分について、重複して説明することを避けるように努める。
各画素２３０は、複数の光センサ素子２３２と、複数の発光素子２３４を備えている。複数の光センサ素子２３２の少なくとも１つは、光信号を受信するとともに、受信した光信号に対応する発光素子２３４を駆動回路２２０を用いてオン／オフする。同一の画素２３０の中の複数の光センサ素子２３２では、各光センサ素子２３２が受信する光信号の波長範囲が互いに異なっており、そのスペクトルは発光素子２３４の発光スペクトルともまた異なっている。
【００２３】
本実施形態においては、特定の波長範囲の光信号のスペクトル（波長分布）に基づいて動作させることも可能であるし、あるいは光信号の波形の差異に基づいて動作させることも可能である。
【００２４】
図７は、本発明の第２の好適な実施形態によるディスプレイパネルの画素２３０の概略図である。図７に示すように、画素２３０は、例えば第１光センサ素子２３２ｒ、第２光センサ素子２３２ｇ、第３光センサ素子２３２ｂ、赤色有機ＥＬ素子２３４ｒ、緑色有機ＥＬ素子２３４ｇ、青色有機ＥＬ素子２３４ｂを備えている。第１光センサ素子２３２ｒが所定の光信号を受信すると、対応する赤色有機ＥＬ素子２３４ｒを、駆動回路２２０を用いてオン／オフ制御する。同様に、第２光センサ素子２３２ｇと第３光センサ素子２３２ｂは、それぞれ緑色有機ＥＬ素子２３４ｇと青色有機ＥＬ素子２３４ｂをオン／オフ制御する。
【００２５】
（第３実施形態）
図８は、本発明を好適に実施する第３の実施形態によるディスプレイパネルの概略図である。図８に示すように、第３の実施形態のディスプレイパネル３００は、第１実施形態で説明したディスプレイパネルに比して、入力領域３１６が追加されているものである。以下の説明では、第１実施形態と同様の部分について、重複して説明することを避けるように努める。
ディスプレイパネル３００は、基板３１０と、駆動回路３２０と、複数の第１画素３３０ａと、複数の第２画素３３０ｂを備えている。基板３１０は、表示領域３１２と、非表示領域３１４と、入力領域３１６を備えている。
【００２６】
複数の第１画素３３０ａは、例えば基板３１０の表示領域３１２上にアレイ状に配列されており、それぞれの第１画素３３０ａは、複数の第１発光素子３３４ａを備えている。第１画素３３０ａの数は、より良好な解像度を得るために、例えば１０個×１０個よりも多くするとよい。複数の第２画素３３０ｂは、例えば基板３１０の入力領域３１６上にアレイ状に配列されており、それぞれの第２画素３３０ｂは１つの光センサ素子３３２ｂと複数の第２発光素子３３４ｂを備えている。光センサ素子３３２ｂは光信号を受信するとともに、受信した光信号に対応する第１発光素子３３４ａならびに第２発光素子３３４ｂを、駆動回路３２０を用いてオン／オフする。
【００２７】
注目すべきは、入力領域３１６とその上に配置されている第２画素３３０ｂを別の基板上に配置し、有線または無線により基板３１０上のすべての構成部品と接続することにより、ディスプレイパネル３００の操作者が入力動作をより自在に行えるようにすることも可能だということである。もしくは、入力領域３１６を表示領域３１２内に配置することにより、ディスプレイパネル３００のサイズを小さくすることも可能である。
【００２８】
上述した実施形態によるディスプレイパネルでは、さらに実用性をもたせるために、不要な画像を消去できるイレーサ（例えば黒板消しに相当する）の設計を行うことが必要となる。このイレーサは、発光機構を備える機器によって簡単に構成することができる。光センサ素子が、イレーサの発光機構の発する光信号を発光素子のオン／オフ状態を初期の状態にリセットする信号として判断することで、イレーサが通過した領域の画像が消去される。
メモリモジュールが、入出力装置を通じて外部と接続する構成にするのもよい。それにより、ディスプレイパネルの使用者はいつでも、メモリモジュール内に記憶保存されているデジタル画像情報を、例えば外部のコンピュータの集積処理システムに伝送し、デジタル画像情報の保存や印刷やその他の作業を行うことが可能となる。
迅速かつ簡単な操作を求めるニーズに対しては、ディスプレイパネル上に数個のクイックキーを配置する設計とすることで対応することができる。クイックキーによって、例えば「リセット」や「保存」や「印刷」などの機能を提供することもできる。
【００２９】
以上をまとめて言えば、本発明を実施するディスプレイパネルは、カラー表示やデジタル出力機能を備えた電子白板、ＰＤＡあるいはその他の電子製品における手書き入力パネルに適用することができる。
【００３０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００３１】
【図１Ａ】第１実施形態によるディスプレイパネルの構成を示す模式図。
【図１Ｂ】第１実施形態の変形例によるディスプレイパネルの構成を示す模式図。
【図２Ａ】第１実施形態によるディスプレイパネルの画素の構成を示す模式図。
【図２Ｂ】第１実施形態の変形例によるディスプレイパネルの画素の構成を示す模式図。
【図３】第１実施形態の光トリガー回路の構成を示す回路図。
【図４】発光素子と光センサ素子のスペクトル図。
【図５】第１実施形態の判別回路の構成を示すブロック図。
【図６】第２実施形態によるディスプレイパネルの構成を示す模式図。
【図７】第２実施形態によるディスプレイパネルの画素の概略図である。
【図８】本発明の第３実施形態によるディスプレイパネルの概略図である。
【符号の説明】
【００３２】
１０・・光信号
２０・・第１電子信号
２２・・第２電子信号
２４・・第３電子信号
２６・・第４電子信号
３０・・波形増幅器
４０・・検波回路
５０・・波形整形回路
６０・・信号判別回路
１００、１００ａ、２００、３００・・ディスプレイパネル
１１０、２１０、３１０・・基板
１１２、２１２、３１２・・表示領域
１１４、２１４、３１４・・非表示領域
１２０、２２０、３２０・・駆動回路
１３０、１３０ａ、２３０・・画素
１３０ｂ・・二次画素
１３２、２３２、３３２ｂ・・光センサ素子
１３４、２３４・・発光素子
１３４ｒ、２３４ｒ・・赤色有機ＥＬ素子
１３４ｇ、２３４ｇ・・緑色有機ＥＬ素子
１３４ｂ、２３４ｂ・・青色有機ＥＬ素子
１４０、２４０、３４０・・メモリモジュール
１４５、２４５、３４５・・コントロールキー
１５０・・光ペン
１５５・・発光機構
２３２ｒ・・第１光センサ素子
２３２ｇ・・第２光センサ素子
２３２ｂ・・第３光センサ素子
３１６・・入力領域
３３０ａ・・第１画素
３３０ｂ・・第２画素
３３４ａ・・第１発光素子
３３４ｂ・・第２発光素子
【図１Ａ】
2005122159.tif 000003
【図１Ｂ】
2005122159.tif 000004
【図２Ａ】
2005122159.tif 000005
【図２Ｂ】
2005122159.tif 000006
【図３】
2005122159.tif 000007
【図４】
2005122159.tif 000008
【図５】
2005122159.tif 000009
【図６】
2005122159.tif 000010
【図７】
2005122159.tif 000011
【図８】
2005122159.tif 000012